(57)【要約】【課題】パララックス補正のために、特別の部材を必要とすることなく小型に構成することができ、電力の消費を少なくすることができるデジタルカメラを提供する。【解決手段】撮影レンズ２ａと撮像素子４とを含む撮像手段４と、前記撮影レンズ２ａに対してパララックスを有する光学ファインダ２１、２２と、主被写体までの距離を測定する測距手段３０、４７、４３７とを備えるデジタルカメラにおいて、測距手段３０、４７、４３７により測定された距離情報及び撮影レンズ２ａの焦点距離の情報に基づいてパララックス補正量を決定し、パララックス補正量に基づいて前記撮像素子４ｃの読出し領域４０２，４０３を変更することによってパララックスを補正する。【選択図】図４
2004354439.tif 000002
【特許請求の範囲】
【請求項１】
撮影レンズと撮像素子とを含む撮像手段と、前記撮影レンズに対してパララックスを有する光学ファインダと、主被写体までの距離を測定する測距手段と、前記光学ファインダと撮像手段とのパララックスとを補正するパララックス補正手段とを備えたデジタルカメラであって、
前記パララックス補正手段は、前記測距手段により測定された距離情報に基づいてパララックス補正量を決定する補正量演算手段と、前記補正量演算手段により決定されたパララックス補正量に基づいて前記撮像素子の読出し領域を変更する読出し領域変更手段とを備えることを特徴とする、デジタルカメラ。
【請求項２】
撮影レンズと撮像素子とを含む撮像手段と、前記撮影レンズに対してパララックスを有する光学ファインダと、主被写体までの距離を測定する測距手段と、手振れを吸収するように光軸に対して垂直な平面上で前記撮像素子を基準位置から移動させて手振れ補正を行う手振れ補正手段と、前記光学ファインダと撮像手段とのパララックスとを補正するパララックス補正手段とを備えたデジタルカメラであって、
前記パララックス補正手段は、前記測距手段により測定された距離情報に基づいてパララックス補正量を決定する補正量演算手段と、前記補正量演算手段により決定されたパララックス補正量に基づいて前記手振れ補正手段により撮像素子の基準位置を変化させる撮像素子位置変更手段とを備えることを特徴とする、デジタルカメラ。
【請求項３】
前記撮影レンズは、焦点距離を調整可能なズームレンズで構成されており、前記補正量演算手段は、前記撮影レンズの焦点距離に基づいてパララックス補正量を決定することを特徴とする、請求項１又は２に記載のデジタルカメラ。
【請求項４】
前記光学ファインダーに、パララックス補正枠を表示するパララックス表示手段を有し、前記パララックス補正手段は、前記ファインダのパララックス補正枠の表示によりパララックス補正を修正しきれない場合に作動することを特徴とする、請求項１から３のいずれか１つに記載のデジタルカメラ。
【請求項５】
さらに、前記パララックス補正量と撮影状況に応じてシェーディング補正を行うシェーディング補正手段を有することを特徴とする、請求項１から４のいずれか１つに記載のデジタルカメラ。
【発明の詳細な説明】
【０００１】
【発明の属する技術分野】
本発明は、光学ファインダと撮影光学系との間のパララックスを補正するデジタルカメラに関する。
【０００２】
【従来の技術】
デジタルカメラでは、撮影動作時の構図確認において、撮影レンズ系により結像された被写体像を撮像素子により光電変換し、カメラ本体に設けられているディスプレイに表示させるライブビュー表示を用いることにより行うことが多い。
【０００３】
一方、ディスプレイ表示は、電力を消費するため、省電力のためにライブビュー表示を行うことなく光学ファインダにより構図確認を行う場合もある。この場合には、撮影レンズ系とファインダ系とが独立して設けられている場合は、撮影レンズの光軸とファインダの光軸とが離れていることからパララックス（視差）が生じる。そして、このパララックスの量は、被写体距離や撮影光学系の焦点距離によって変化する。
【０００４】
図７を参照してパララックスが発生する原理について説明する。撮影レンズ系２とファインダ２１，２２との距離がｄだけ離れている場合は、その光軸Ｌ１、Ｌ２はずれることとなる。そして、線２０１ｘと２０２ｘとの間の範囲が撮影レンズ系２の画角となり、線２１０ｘと２１１ｘとの間の範囲が光学ファインダ２１，２２の画角となる。この場合に、被写体距離ｌだけ離れている場合は、撮影レンズ系２の撮影範囲は、Ｓ１に示す範囲となり、光学ファインダにより確認される範囲は、Ｓ２となり、両者にずれが生じることとなる。そして、図から明かなように、このずれは、被写体距離が近づくほど大きくなる。
【０００５】
このパララックスを補正するための技術については、種々提案されている。例えば、特開２００２−３６５６９９号公報（特許文献１）などに例示されるように、撮影距離や焦点距離に応じてファインダ内表示を変化させるようにしたものがある。また、特開平９−２３０４４０号公報（特許文献２）では、ファインダに入射する光線を屈折させて、撮影レンズの光軸とのずれをなくすようにしたものがある。
【０００６】
また、特開平１１−２７５４２７号公報（特許文献３）では、電子的撮像手段と銀塩撮像手段を有し、銀塩撮像手段において撮像する場合でも電子的撮像手段においてパララックスを補正するようにした技術が開示されている。この技術は、銀塩撮像手段により得られる光画像と、銀塩撮像手段とは独立して設けられた電子的撮像手段により得られる光画像との間にずれが生じた場合、両者が一致するように電子的撮像手段により得られた光画像のビューファインダの範囲をずらして表示することによりパララックス補正を行うものである。
【０００７】
さらに、光学ファインダを用いるためにライブビュー表示を行わないように設定されている場合であっても、マクロ撮影時にはライブビュー表示によって構図確認を行うために、ディスプレイを表示させるように制御されたデジタルカメラが提案されている。
【０００８】
【特許文献１】
特開２００２−３６５６９９号公報
【特許文献２】
特開平９−２３０４４０号公報
【特許文献３】
特開平１１−２７５４２７号公報
【０００９】
【発明が解決しようとする課題】
しかし、特許文献１に開示のファインダ内にパララックス補正枠を設け被写体距離に応じてその表示を変化させるようにする技術は、撮像手段を基準として、ファインダの視野枠をファインダのパララックスを減殺する位置に移動させ、補正枠として表示することによって構図を確認するため、パララックスが大きい場合は補正枠が、ファインダの全体枠の端のほうに位置する場合もあり、撮影者に違和感を覚えさせる場合がある。また、パララックスが大きい場合に完全に補正しきれない場合があり、例えば、近接撮影までは対応できないという問題もあった。また、特許文献２に開示の技術においては、ファインダに入射する光線を屈折させてパララックスを補正するためには、屈折のためのプリズムなどを移動させるための部材を必要とし、カメラの大型化を招くという問題があった。
【００１０】
また、特許文献３に開示の技術では、パララックス補正のために、電子的撮像手段により得られた電子画像をディスプレイにどのように表示するかによってパララックス補正を行うものであり、ディスプレイの表示を伴うため、電力消費が大きく省電力の問題を依然として解決することができない。また、マクロ撮影時においてのみディスプレイの表示を行うように制御されたデジタルカメラにおいても同様に消費電力の問題がある。特に、カメラを小型化するほどバッテリ容量も小さくなるという傾向があるため、消費電力の問題は顕在化することとなる。
【００１１】
したがって、本発明が解決しようとする技術的課題は、パララックス補正のために、特別の部材を必要とすることなく小型に構成することができ、電力の消費を少なくすることができるデジタルカメラを提供することである。
【００１２】
【課題を解決するための手段】
本発明は、上記技術的課題を解決するために、以下の構成のデジタルカメラを提供する。
【００１３】
本発明の第１態様によれば、撮影レンズと撮像素子とを含む撮像手段と、前記撮影レンズに対してパララックスを有する光学ファインダと、主被写体までの距離を測定する測距手段と、前記光学ファインダと撮像手段とのパララックスとを補正するパララックス補正手段とを備えたデジタルカメラであって、前記パララックス補正手段は、前記測距手段により測定された距離情報に基づいてパララックス補正量を決定する補正量演算手段と、前記補正量演算手段により決定されたパララックス補正量に基づいて前記撮像素子の読出し領域を変更する読出し領域変更手段とを備えるデジタルカメラを提供する。
【００１４】
上記構成において、パララックス補正手段は、光学ファインダを基準として撮像手段のパララックスを補正するものである。パララックス補正手段は、光学ファインダを基準として、被写体との距離などの情報に基づいて撮像手段のパララックスの程度を導き、これを補正することができる補正量を決定する。読出し領域変更手段は、撮像素子の有効画素からの切り出し領域を変更したり、画像メモリの記録用切り出し部位を変更するなどの制御処理を行うことにより、読出し領域を変更してパララックスを補正する。
【００１５】
本発明の第２態様によれば、撮影レンズと撮像素子とを含む撮像手段と、前記撮影レンズに対してパララックスを有する光学ファインダと、主被写体までの距離を測定する測距手段と、手振れを吸収するように光軸に対して垂直な平面上で前記撮像素子を基準位置から移動させて手振れ補正を行う手振れ補正手段と、前記光学ファインダと撮像手段とのパララックスとを補正するパララックス補正手段とを備えたデジタルカメラであって、前記パララックス補正手段は、前記測距手段により測定された距離情報に基づいてパララックス補正量を決定する補正量演算手段と、前記補正量演算手段により決定されたパララックス補正量に基づいて前記手振れ補正手段により撮像素子の基準位置を変化させる撮像素子位置変更手段とを備えるデジタルカメラを提供する。
【００１６】
上記構成において、手振れ補正手段は、カメラのブレが生じたときに、そのブレを打ち消すように撮像素子の位置を変更することにより、手振れ補正を行うための手段であり、主に、光軸に対して垂直な平面上で撮像素子を駆動させるための手段を備える。すなわち、この手振れ補正手段は、通常時に撮像素子が配置されている基準位置に対してブレに応じて撮像素子の位置を変更して、ブレを減殺するものである。上記構成においては、パララックス補正手段は、被写体との距離の情報などから導かれたパララックスを減殺する方向に撮像素子の基準位置を移動してパララックスを補正する。
【００１７】
本発明の第３態様によれば、前記撮影レンズは、焦点距離を調整可能なズームレンズで構成されており、前記補正量演算手段は、前記撮影レンズの焦点距離に基づいてパララックス補正量を決定するデジタルカメラを提供する。
【００１８】
上記構成において、パララックスは、被写体距離のほか、撮影レンズの焦点距離によっても変動するものであるため、焦点距離が変動するズームレンズを用いた場合は、その焦点距離の情報を用いることによりパララックス補正量を演算する。
【００１９】
本発明の第４態様によれば、前記光学ファインダーに、パララックス補正枠を表示するパララックス表示手段を有し、前記パララックス補正手段は、前記ファインダのパララックス補正枠の表示によりパララックス補正を修正しきれない場合に作動するデジタルカメラを提供する。
【００２０】
上記構成において、上記各態様に基づくパララックス補正手段は、従来からの光学ファインダの表示を変更することによる補正とは無関係であるため、両者を併用することができる。したがって、例えば、ファインダのパララックス補正枠を表示することによりパララックス補正を行うと共に、これによって補正しきれないような場合は、読出し位置を変更する補正を行うようにしてもよい。
【００２１】
本発明の第５態様によれば、さらに、前記パララックス補正量と撮影状況に応じてシェーディング補正を行うシェーディング補正手段を有するデジタルカメラを提供する。
【００２２】
上記パララックス補正手段によりパララックス補正を行った場合は、レンズの光軸の中心位置が撮像素子の中心位置からずれることとなり、撮影レンズに固有の周辺光量落ちが原因となって画像の中心部から画像周縁部に向かうに従って同心円状に光量（輝度レベル）が低下するという現象が生じることがある。このとき、上記補正を行うと、画像中心と輝度レベル中心にずれが生じるため、不自然な絵となる。この現象を低減するため、画像の輝度レベルの低下と輝度レベル中心のずれを補正するためのシェーディング補正を行うことにより、この問題を解消することができる。
【００２３】
【発明の実施の形態】
以下、本発明の一実施形態に係るデジタルカメラについて、図面を参照しながら説明する。
【００２４】
図１は、本発明の実施形態にかかるデジタルカメラの外観構成図である。デジタルカメラは、箱型のボディ３の前面４に繰り出し型の撮影レンズ鏡胴２を備えるタイプのデジタルカメラである。デジタルカメラ１は、全面４にフラッシュ発光部１０、ＡＦセンサ受光窓３０ａ、光学ファインダの対物側窓２１とが設けられている。
【００２５】
ＡＦセンサは、その受光窓３０ａから受光した被写体反射光に基づいて被写体との距離を測定するために用いられる。被写体距離の演算は、後述するように、カメラに内蔵されているカメラ制御ＣＰＵが行う。
【００２６】
光学ファインダは、その対物側窓２１を通して被写体光を受光し、撮影時の構図を確認するために用いられるものである。図１（ａ）に示すように、光学ファインダはその対物側窓２１が、撮影レンズ鏡胴２とは異なる位置に設けられているため、両者の光軸は一致することがなく、パララックスを有することとなる。
【００２７】
カメラ１の上面５には、レリーズボタン１１、撮影モード切替スイッチ１２、手振れ補正スイッチ１３、モニタ拡大スイッチ１４、表示パネル１７が設けられている。
【００２８】
レリーズボタン１１は、シャッターのレリーズ動作を開始するためのスイッチであり、半押しと全押しとの２段階にわたって押下するように構成されている。撮影モード切替スイッチは、２極スイッチで構成され、撮影を行う撮影モードと撮影された画像を再生する再生モードとを切りかえるものである。手振れ補正スイッチ１３は、手振れ補正モードのオン／オフの切り替えを行うためのモードである。後述するように、このデジタルカメラ１には、ＣＣＤスイング方式の手振れ補正機能が搭載されており、手振れ補正スイッチ１３を操作することにより、手振れ補正機能を動作させるか否かを切り替えることができる。モニタ拡大スイッチ１４は、再生モードにおいて、液晶ディスプレイ１８（図１（ｄ）参照）に再生表示される写真画像を拡大表示させるためのスイッチである。表示パネル１７は、撮影モードなどの撮影に関する情報を表示するための液晶パネルである。
【００２９】
カメラ１の左側面７には、電源用端子１９が設けられており、この端子１９に電源プラグから電力を供給することにより、図示しない内蔵電池の充電及びカメラの駆動電源として用いられる。
【００３０】
カメラ１の背面８には、光学ファインダの接眼側窓２２、液晶ディスプレイ１８、液晶ディスプレイオン／オフ切り替えスイッチ１６、操作キー１５などが配設されている。
【００３１】
光学ファインダの接眼側窓２２は、カメラの全面に設けられている対物側窓２１から入射した被写体光が到達し、カメラの使用者が接眼側窓を覗くことにより、撮影画角の確認をすることができる。液晶ディスプレイは、撮影モード時においては、撮影レンズ鏡胴に入射した被写体光をＣＣＤにより光電変換して得られた写真画像をリアルタイムで表示するライブビュー表示がなされると共に、再生モード時においては、撮影された写真画像を再生表示する。液晶ディスプレイのライブビュー表示により、撮影レンズにより撮影される写真画像を確認することができる。
【００３２】
操作キー１５は、再生モード時においては、再生される写真画像の送り、戻しなどを行い、撮影モード時においては、露出の調整や撮影レンズ鏡胴のズーム調整などを行う。また、各種設定変更に用いられ、例えば、撮影時における写真画像の画像サイズの変更などを行う。液晶ディスプレイオン／オフ切り替えスイッチ１６は、撮影モード時において、液晶ディスプレイの表示をするかどうかを切りかえるためのスイッチである。
【００３３】
液晶ディスプレイの表示の有無によって、撮影時において画角の確認の作業が異なることとなる。すなわち、液晶ディスプレイの表示を行う場合は、ライブビューを確認することで撮影画角の確認を行うことができ、一方、液晶ディスプレイの表示を行わない場合は、光学ファインダを用いて撮影画核の確認を行うことができる。上述のように、撮影レンズ鏡胴と光学ファインダとの間には、パララックスが発生しているため、本実施形態にかかるデジタルカメラは、後述するような方法により、これを補正することとしている。
【００３４】
図２は、図１のデジタルカメラの内部構成を示すブロック図である。なお図２において太い矢印は画像信号の流れを示し、細い矢印は、制御信号またはクロック信号の流れを示す。
【００３５】
図２に示されるように、カメラ１の内部には、クロック信号を発生するためのクロック発生回路（図示なし）からのクロック信号を受けて動作するタイミングジェネレータセンサードライブ４６が設けられている。
【００３６】
タイミングジェネレータセンサードライブ４６は、ＣＣＤ４ｃの駆動を制御するための各種のタイミングパルスを生成する。タイミングジェネレータセンサードライブ４６は、例えば、積分開始／終了（露光開始／終了）のタイミング信号、各画素の受光信号の読出制御信号（水平同期信号、垂直同期信号、転送信号など）などのクロック信号を生成し、ＣＣＤ４ｃに出力する。また、Ａ／ＤクロックをＡ／Ｄ変換回路４２に送信するとともに、水平・垂直同期信号（ＨＤ，ＶＤ）などの画像を取り込むタイミングを取るのに必要な信号を画像処理ＣＰＵ４３へも送信する。
【００３７】
カメラ操作スイッチ４８は、カメラのボディ３に設けられた種々のスイッチ類などであり、具体的には、レリーズボタン１１、モード切替スイッチ１２、手振れ補正スイッチ１３、操作キー１５、液晶ディスプレイオン／オフ切り替えスイッチ１６などが該当する。カメラ操作スイッチ４８の操作により、画像サイズの変更すなわち、記録する有効画素数の変更が行われた場合やレリーズモードの選択が行われた場合は、カメラ制御ＣＰＵ４７により設定が変更される。
【００３８】
撮影レンズ鏡胴２に用いられている撮影レンズは、ズームレンズであり、カメラ操作スイッチ４８の操作によって図示しないズームモータが駆動することによりズーム駆動を行う。
【００３９】
露出制御は、カメラ制御ＣＰＵ４７からの制御信号により、絞りドライバを駆動させることにより行われる。また、露出制御は、ＣＣＤ４ｃの露光量、すなわち、シャッタースピードに相当するＣＣＤ４ｃの電荷蓄積時間を調節しても行うことができる。被写体輝度が低輝度時に適切なシャッタースピードが設定できない場合は、ＣＣＤ４ｃから出力される画素信号のレベル調整を行うことにより露光不足による不適正露出が補正される。すなわち、低輝度時は、シャッタースピードとゲイン調整とを組み合わせて露光制御が行われる。画素信号のレベル調整は、ＡＧＣ回路４１のゲイン調整において行われる。
【００４０】
カメラ１には、カメラのブレを２方向に検出するジャイロ５０が設けられている。ジャイロ５０によって２方向のブレを検出した場合は、手振れ駆動制御回路４９からの制御を受けて、当該ブレを打ち消す方向に撮像素子ユニットが移動する。
【００４１】
フォーカスモータドライバ４４は、フォーカスモータ（図示なし）を制御するためドライバであり、ＡＦセンサ３０または、撮影レンズ鏡胴２の撮像素子ユニット４からのビデオＡＦにより検知された情報に基づいて演算をされる被写体の距離に応じて、被写体光が撮像面上で合焦するようにフォーカスレンズを駆動させる。オートフォーカスに関する制御は、後述するように、カメラ制御ＣＰＵ４７及び画像処理ＣＰＵ４３からの制御信号により行われる。
【００４２】
ズームモータ及びフォーカスモータ（図示なし）は、ステッピングモータで構成され、カメラ制御ＣＰＵ４７が発生した駆動パルスによりオートフォーカスモータドライバ４４を通じて制御される。
【００４３】
ＣＣＤユニット４は、図６に示すように、ＣＣＤスイング方式による手振れ補正機能のためのＸＹテーブル４ａ，４ｂ上に設けられたＣＣＤ４ｃを備える。ＣＣＤ４ｃは、Ｒ（赤）、Ｇ（緑）、Ｂ（青）の原色透過フィルタがピクセル単位に貼られたエリア撮像センサであり、インターラインプログレッシブタイプのものが用いられている。撮影レンズにより結像された被写体の光像は、Ｒ（赤）、Ｇ（緑）、Ｂ（青）の色成分の画像信号（各画素で受光された画素信号の信号列からなる信号）に光電変換して出力される。ＣＣＤ４ｃは、記録可能画素総数と記録画素数との間に差を有しており、また、撮像面の周辺部には記録しない画素が存在する。ＣＣＤ４ｃは、カメラ制御ＣＰＵ４７からの制御により、取込み可能な有効画素数を変更したり、画像信号を垂直方向に間引いて出力する。
【００４４】
ＣＣＤユニット４から出力される画像信号（アナログ信号）は、ＣＤＳ（相関二重サンプリング）回路４０及びＡＧＣ（オートゲインコントロール）回路４１によって、所定の信号処理が施される。ＣＤＳ回路４０は、画像信号のノイズの低減を行い、ＡＧＣ回路４１は、そのゲインを調整することにより画像信号の感度レベルの補正を行う。
【００４５】
Ａ／Ｄ変換回路４２は、ＡＧＣ回路４１で増幅されたアナログ信号を、１２ビットのデジタル信号に変換するものである。Ａ／Ｄ変換回路４２は、タイミングジェネレータセンサードライブ４６から入力されるＡ／Ｄ変換用のクロックに基づいて、各画素信号（アナログ信号）をデジタル信号に変換する。デジタル化された画像信号は、画像処理ＣＰＵ４３に送られる。
【００４６】
画像処理ＣＰＵ４３には、画像処理を実行する回路が内蔵されており、Ａ／Ｄ変換回路４２でＡ／Ｄ変換された画像信号について、以下に示す処理を行う。
【００４７】
シェーディング補正回路４３１は、一般にＣＣＤ４ｃで得られた画像の輝度むらを補正するための処理を行うものである。デジタルカメラ１では撮影レンズの周辺光量落ちのために、均一輝度の被写体を撮影した場合であってもＣＣＤ４ｃから得られる画素値は同心円状に出力レベルが低下していく。このレベル低下をシェーディング補正機能によって補正する。撮影レンズによる周辺光量落ちはレンズ固有の特性であるので、事前に使用する撮影レンズに応じて補正テーブルを準備しておき、ＣＣＤ４ｃから得られる画像データに対し、その補正テーブルを参照して補正すればよい。
【００４８】
なお、シェーディング補正回路４３１は、このような撮影レンズによる周辺光量落ちを補正するだけでなく、ＣＣＤ４ｃの画素ごとの輝度レベルむら等のようなその他の要因による輝度むらも補正するように補正テーブルを準備しておくことが好ましい。また、後述するように、パララックス補正を行うことにより、光軸中心の位置が変わるため、これにより変化するシェーディングを補正する。
【００４９】
画像信号は、画素補間回路４３２によって、ＲＧＢ各画素をそれぞれのフィルターパターンでマスキングした後、高帯域まで画素を持つＧについては、メディアン（中間値）フィルタで周辺４画素の中間２値の平均値に置換する。Ｒ、Ｂに関しては、平均補間を行う。
【００５０】
画素補間を行った画像信号は、解像度変換回路４３３によって水平垂直の縮小、又は間引きが行われ、設定された記録画素数へ解像度変換が行われる。また、液晶ディスプレイ１８に表示する場合にも解像度変換回路４３３によって水平画素の間引きを行い、液晶ディスプレイモニタ用の低解像度画像を作成する。
【００５１】
解像度変換された画像信号は、カラーバランス制御回路４３４によって、黒レベル補正及びホワイトバランスの調整がなされる。黒レベル補正は、Ａ／Ｄ変換された画像信号の黒レベルを基準の黒レベルに補正するものである。また、ホワイトバランス（ＷＢ）調整は、黒レベル補正後にホワイトバランスが調整されるように、Ｒ，Ｇ，Ｂの各色成分の画素データのレベル変換を行うものである。ＷＢ調整では、撮影被写体から本来白色と思われる部分を輝度、彩度データなどから推測し、その部分のＲ、Ｇ、Ｂそれぞれの平均Ｇ／Ｒ，Ｇ／Ｂ比を求め、ＲＢの補正ゲインとして補正制御している。
【００５２】
カラーバランス制御がなされたのち、γ補正回路４３５によって画素信号のγ特性が補正される。画像メモリ５１は、シェーディング補正後のデータ（もしくは補正前のデータ）をいったん記録してから、各処理ごとにデータを記録しておくメモリである。また、メモリ５１は、液晶ディスプレイモニタ１８に再生表示される画像データのバッファメモリ領域も有しており、液晶ディスプレイモニタ１８の画素数に対応した画像データの記憶容量を有している。
【００５３】
撮影モードにおいて、撮影待機状態においては、ＣＣＤ４ｃより所定間隔ごとに撮像された画像の各画素データが所定の信号処理を施された後、画像メモリ５１に記憶されるとともに、ビデオエンコーダ４３９に転送され、６４０×２４０画素の低解像度画像をＮＴＳＣ／ＰＡＬにエンコードし、これをフィールド画像として液晶ディスプレイモニタ１８に表示する（ライブビュー表示）。これにより撮影者は、液晶ディスプレイモニタに表示された画像により被写体像を視認することができる。また、再生モードにおいては、メモリカード６０から読み出された画像が、画像処理ＣＰＵで所定の信号処理が施された後、画像メモリ５１の表示用ＲＡＭ領域に転送され、液晶ディスプレイモニタ１８に再生表示される。
【００５４】
ＡＦセンサ３０はパッシブタイプの外光式ＡＦセンサである。レリーズボタン１１は、半押し状態と押しこんだ状態とが検出可能な２段階スイッチになっており、待機状態でレリーズボタン１１を半押しすると、ＡＦセンサ３０からの情報をカメラ制御ＣＰＵ４７へ入力する。カメラ制御ＣＰＵ４７は、この情報から主被写体までの距離を演算し、上述のように、ＡＦモータを駆動させて合焦位置へフォーカスレンズを移動させる。
【００５５】
カメラのレリーズボタン１１を操作すると、その情報がカメラ制御ＣＰＵ４７に送信されて撮影キャプチャが実行される。露出関連の制御パラメータ（シャッタースピード、アナログゲイン量）はカメラ制御ＣＰＵ３１０へ転送された後、タイミングジェネレータセンサードライブ４６やＡＧＣ回路４１にセットされる。
【００５６】
また、ＡＦセンサ３０を用いた測距ができない場合もしくはＡＦセンサを搭載していないデジタルカメラなどの場合は、オートフォーカスの演算は、カメラの画像処理ＣＰＵ４３の測距演算回路２３にて、画像の一部分のデータをサンプリングし、その高周波成分をデジタルフィルタなどを用いて求めることもできる。フォーカスレンズを少しずつＡＦモータを使って一定方向に移動させ、移動中の画像それぞれの高周波成分をモニターした結果、高周波成分がピークになったときのフォーカスレンズ位置を合焦位置と判断してフォーカスレンズをピーク値を露光した位置まで移動させる。
【００５７】
メモリカードドライバ４４０は、メモリカード６０への画像データの書きこみ及び読出しを行うためのドライバである。
【００５８】
画像信号のメモリカード６０への記録に際しては、画像メモリ５１から、全画素データを読出し、画像圧縮回路４３６によって設定された圧縮率で、これらの画素データに２次元ＤＣＴ変換後、ハフマン符号化などのＪＰＥＧ方式による所定の圧縮処理を施す。デジタルカメラによって記録された画像の各コマは、各タグの部分のＪＰＥＧ形式で圧縮された高解像度の画像データとサムネイル表示用の画像データ（８０×６０画素）が記録される。カメラ制御ＣＰＵ４７は、画像のサムネイル画像と圧縮画像とを生成すると、再生画像に関するタグ情報（コマ番号、露出値、シャッタースピード、圧縮率、撮影日時、フラッシュのオンオフのデータ、シーン情報、画像の判定結果などの情報）とともにメモリカード６０に記憶する。
【００５９】
モード切替スイッチ１２を再生モードに設定したときには、メモリカード６０のもっとも大きいコマ番号のタグ情報を有する画像データ、すなわち、もっとも直近に撮影された画像が読み出され、データ伸張されて画像メモリ５１の表示ＲＡＭ領域に転送され、ＬＣＤ表示部１２に表示される。
【００６０】
液晶ディスプレイオン／オフ切り替えスイッチ１６の操作により液晶ディスプレイ１８のライブビュー表示が行われないモード設定がなされている場合には、液晶ディスプレイモニタに表示された画像により被写体像を視認することができないため、撮影者は、光学ファインダを用いて画角の確認を行うこととなる。上述のように、光学ファインダは、撮影レンズ鏡胴２と異なる光軸を持ちパララックスを有するため、カメラ制御ＣＰＵ４７は、次の制御を行うことによりこれを補正する。
【００６１】
カメラ制御ＣＰＵ４７は、パララックス補正のため、ＡＦセンサ３０又は測距演算回路４３７により求められた被写体距離と撮影レンズ鏡胴２の焦点距離から、ファインダ２１、２２を基準とした撮影レンズ鏡胴２のパララックスの程度を求め、これを補正するタイミングジェネレータセンサードライブ４６にＣＣＤ４ｃの切り出しエリアを所定量だけ移動するように制御する。
【００６２】
図３は、ＣＣＤの切り出しエリアの変更を説明する図である。ＣＣＤ４ｃは、その撮像面４０１上の一部のみを有効画素（切り出しエリア）として使用しており、本実施形態においては、撮像面４０１の中央部分にこれが配置されている。カメラ制御ＣＰＵ４７は、タイミングタイミングジェネレータセンサードライブ４６に対して、切り出しエリアを４０３で示す位置に変更するように制御する。すなわち、例えば、手振れ補正のためにイメージサークルの余裕をとるためや記録サイズの指定により画素数が少ない場合などＣＣＤ４ｃの撮影可能画素４０１よりも記録画素が少ない場合（例えば、デジタルズーム使用時など）において、記録側の撮像素子の切り出しエリアを変更することによりパララックスを補正するものである。
【００６３】
この原理について図４を用いて説明する。本実施形態では、撮影レンズ鏡胴２の光軸Ｌ１に対して、ファインダ２１，２２の光軸Ｌ２は距離ｄだけ情報に設けられており、ファインダにより確認することができる範囲は、線２１０、２１２によって囲まれた範囲となり、所定距離だけ離れた被写体について確認することができる範囲はＳとなる。この状態において、ＣＣＤ４ｃの切り出しエリアをファインダの光軸Ｌ２と反対側の方向、すなわち下方に演算された所定量だけ移動することによって、撮影レンズ鏡胴２の撮影範囲は、線２０１、２０２によって囲まれた範囲となり、所定距離だけ離れた被写体についてはファインダ２１、２２の視野と一致する。したがって、パララックスを補正することができる。また、一般に被写体距離が短くなるほどイメージサークルは大きくなるため、切り出し位置を移動させる幅を大きくすることができ、パララックスの程度に応じた補正を行うことができる。
【００６４】
なお、通常時の切り出し位置をＣＣＤ４ｃの撮像面の中央部分からずらしておくことにより、読出し位置の移動量を大きくすることができる。すなわち、ファインダと撮影レンズ鏡胴の配置位置は固定されているため、パララックスを補正するために切り出し位置を移動させる方向はおもに決まった方向となる。したがって、元の読出し位置を移動方向に対して上流側に設定おくことにより、より大きなパララックスについての補正をすることができる。
【００６５】
なお、切り出し位置を変更することにより、レンズの焦点距離や絞りなどによって発生するシェーディングで画像中心以外がシェーディング中心となるため、レンズの焦点距離や絞りの情報からシェーディング補正を行う。シェーディング補正は、画像処理ＣＰＵ４３のシェーディング補正回路４３１によって行われる。
【００６６】
また、本実施形態にかかるデジタルカメラは、上記のＣＣＤの切り出し位置の変更によるパララックス補正と併用して、図５（ａ）に示すようなファインダの全視野２２ａ内に表示されているパララックス補正枠２２１を、パララックスが生じないような位置２２２に移動させることにより補正することもできる。ファインダ表示によるパララックス補正は、ＣＣＤの切り出し位置の変更によるパララックス補正よりも優先して用いられる。すなわち、切り出し位置の変更による補正は、ファインダ表示によるパララックス補正ではパララックスを補正しきれない場合に行われ、切り出し位置の変更による補正がなされていることを撮影者に知らせるためにファインダ視野２２ａ内に警告灯２２ｂが点灯する（図５（ｂ）参照）。
【００６７】
また、本実施形態にかかるデジタルカメラ１は、パララックスを補正する手段として、ＣＣＤユニット４の手振れ補正の機構を併用する。ＣＣＤユニット４は、図６に示すように２つのテーブル（Ａテーブル４ａ、Ｂテーブル４ｂ）を備えている。ＣＣＤ４ｃは、Ａテーブル４ａの上に配置されており、アクチュエータ４０５ａを介してＢテーブルに配置されている。Ｂテーブル４ｂは、不図示の本体にアクチュエータを介して配置されている。
【００６８】
Ａテーブル４ａは、アクチュエータ４０５ａが駆動することにより、Ｂテーブルに対して矢印７１に示す方向に駆動し、Ｂテーブルは、アクチュエータ４０５ｂが駆動することにより、本体に対して矢印７２に示す方向に駆動する。したがって、アクチュエータ４０５ａ，４０５ｂを適宜駆動させることにより、ＣＣＤ４ｃは、光軸Ｌ１に垂直な平面上において、本体に対してＸＹの２方向に自由に移動することができる。
【００６９】
ＣＣＤユニット４において、通常時のＣＣＤ４ｃの基準位置は、中央部分に位置するように設けられており、ジャイロ５０からカメラのブレの状態から適切にアクチュエータを駆動して手振れ補正を行う。パララックス補正を行う場合は、図６（ｂ）に示すように、アクチュエータ４０５ａ，４０５ｂを駆動させて、ＣＣＤ４ｃの基準位置を変更することによりこれを行う。
【００７０】
なお、上記のいずれのパララックス補正手段を併用したとしても、パララックスを補正しきれないような場合は、ファインダ視野内２２ａの表示手段２２ｂを点滅させてその旨を撮影者に通知する。
【００７１】
【発明の効果】
以上説明したように、本発明の第１態様によれば、撮像素子の有効画素からの切り出し領域を変更したり、画像メモリの記録用切り出し部位を変更するなどの制御処理を行うことにより、読出し領域を変更してパララックスを補正することができるため、パララックス補正のための部材を必要とすることがなく、カメラを小型に構成することができる。また、ファインダ表示を変更させることによるファインダ視野の違和感などを生じさせることがない。また、ディスプレイ表示を行うことなくパララックスを補正することができるため、消費電力の増大を招くことがない。
【００７２】
本発明の第２態様によれば、被写体との距離の情報などから導かれたパララックスを減殺する方向に撮像素子の基準位置を移動してパララックスを補正することができるため、手振れ補正を行うための機構をそのまま利用することができる。また、基準位置を補正するための処理は、例えば、ＣＰＵなどの演算手段によって、導かれた所定量だけ、撮像素子を駆動させればよく、パララックス補正のための特別な部材を必要とすることがない。
【００７３】
本発明の第３態様によれば、焦点距離が変動するズームレンズの位置から導かれる撮影レンズの焦点距離に基づいてパララックス補正量を導くため、より精度の高い補正を行うことができる。
【００７４】
本発明の第４態様によれば、まったく機構が独立した２つのパララックス補正の機構を併用することができるため、補正幅を大きくすることができる。
【００７５】
本発明の第５態様によれば、レンズの光軸の中心位置が撮像素子の中心位置からずれることによるシェーディングの変化を補正することができ、より鮮明な画像を得ることができる。
【００７６】
なお、本発明は上記実施形態に限定されるものではなく、その他種々の態様で実施可能である。
【００７７】
例えば、メカニカルシャッターを搭載して、ＣＣＤにインターラインインターレースタイプのものを使用してもよい。
【００７８】
例えば、上記実施形態では、ＣＣＤの切り出しエリアを移動させることにより、パララックス補正を行うようにしているが、例えば、画像メモリ５１の記録用切り出し部位を変更するようにしてもよい。
【００７９】
また、手振れ補正機構を用いたパララックスの補正において、ＣＣＤを駆動させる代わりにレンズの基準位置を駆動させて行うようにすることもできる。
【００８０】
なお、本発明の実施形態には、以下に示す発明も含まれる。
【００８１】
撮影レンズと撮像素子とを含む撮像手段と、オンオフの切り替えができるように構成された電子ファインダと、主被写体までの距離を測定する測距手段と、前記光学ファインダと撮像手段とのパララックスとを補正するパララックス補正手段とを備えたデジタルカメラであって、
前記パララックス補正手段は、前記測距手段により測定された距離情報に基づいてパララックス補正量を決定する補正量演算手段と、前記補正量演算手段により決定されたパララックス補正量に基づいて前記撮像素子の読出し領域を変更する読出し領域変更手段とを備え、前記電子ファインダの不使用時のみ作動することを特徴とする、デジタルカメラ。
【００８２】
撮影レンズと撮像素子とを含む撮像手段と、前記撮影レンズに対してパララックスを有する光学ファインダと、主被写体までの距離を測定する測距手段と、手振れを吸収するように光軸に対して垂直な平面上で前記撮影レンズを基準位置から移動させて手振れ補正を行う手振れ補正手段と、前記光学ファインダと撮像手段とのパララックスとを補正するパララックス補正手段とを備えたデジタルカメラであって、
前記パララックス補正手段は、前記測距手段により測定された距離情報に基づいてパララックス補正量を決定する補正量演算手段と、前記補正量演算手段により決定されたパララックス補正量に基づいて前記手振れ補正手段により移動される撮影レンズの基準位置を変化させるレンズ位置変更手段とを備えることを特徴とする、デジタルカメラ。
【図面の簡単な説明】
【図１】本発明の実施形態にかかるデジタルカメラの外観構成図である。
【図２】図１のデジタルカメラの内部構成を示すブロック図である。
【図３】ＣＣＤの切り出しエリアの変更を説明する図である。
【図４】切り出しエリアを変更することによってパララックスを補正することができる原理の説明図である。
【図５】ファインダ表示を変更することによってパララックス補正をした場合の説明図である。
【図６】手振れ補正機能を備えた撮像素子ユニットの構成の説明図であり、（ａ）は通常時のＣＣＤ基準位置、（ｂ）はパララックス補正時のＣＣＤ基準位置を示す図である。
【図７】パララックスが生じる原理を説明する図である。
【符号の説明】
１  デジタルカメラ
２  撮影レンズ鏡胴
３  ボディ
４  ＣＣＤユニット
４ｃ  ＣＣＤ
１１  レリーズボタン
１３  手振れ補正スイッチ
１６  液晶ディスプレイオン／オフ切り替えスイッチ
１８  液晶ディスプレイ
２１  光学ファインダの対物側窓
２２  光学ファインダの接眼側窓
３０  ＡＦセンサ
３０ａ  ＡＦセンサ受光窓
４３  画像処理ＣＰＵ
４６  タイミングジェネレータセンサードライブ
４７  カメラ制御ＣＰＵ
５０  ジャイロ
【図１】
2004354439.tif 000003
【図２】
2004354439.tif 000004
【図３】
2004354439.tif 000005
【図４】
2004354439.tif 000006
【図５】
2004354439.tif 000007
【図６】
2004354439.tif 000008
【図７】
2004354439.tif 000009